(57)【要約】【課題】本発明は、タッチパネルが車両用ホストに固定されるため、車両用ホストの機能や効果が制限され、更新しにくいという課題を解決するように、着脱可能な操作パネルを提供する車両用ホストシステムを提供する。【解決手段】車両用ホストシステムは、収容孔を有するホストと、操作面と前記操作面に対する裏面とを有する操作パネルと、前記操作パネルの前記裏面に接続される第１端と、着脱可能に前記ホストの前記収容孔に収容される第２端とを有する中継部材とを備える。これにより、操作パネルが着脱可能にホストに組合せられる。【選択図】図１
2018012420.tif 000002
【特許請求の範囲】
【請求項１】
収容孔を有するホストと、
操作面と前記操作面に対する裏面とを有する操作パネルと、
前記操作パネルの前記裏面に接続される第１端と、前記ホストの前記収容孔に収容される第２端とを有する中継部材と、
を備えることを特徴とする、車両用ホストシステム。
【請求項２】
前記ホストは前端面を有し、
前記収容孔は、前記前端面から内側に凹設されることを特徴とする、請求項１に記載の車両用ホストシステム。
【請求項３】
前記操作パネルが前記中継部材により前記ホストに装着される場合、前記操作パネルは前記ホストの前記前端面の少なくとも一部を遮蔽することを特徴とする、請求項２に記載の車両用ホストシステム。
【請求項４】
前記中継部材の前記第１端は回転自在に前記操作パネルの前記裏面に接続され、
前記操作パネルが前記ホストに取付けられることに合わせるように前記中継部材は選択可能に前記操作パネルの前記裏面と取付角度をなしており、
前記操作パネルと前記ホストとが分離される場合に前記操作パネルを平面に支持するように前記中継部材は選択可能に前記操作パネルの前記裏面と支持角度をなす、ことを特徴とする、請求項１に記載の車両用ホストシステム。
【請求項５】
前記中継部材の前記第１端は、磁性により前記操作パネルの前記裏面に吸着されることを特徴とする、請求項１に記載の車両用ホストシステム。
【請求項６】
前記中継部材は第１の磁気吸引モジュールを有し、
前記操作パネルの前記裏面には第２の磁気吸引モジュールが設けられており、
前記第１の磁気吸引モジュールが前記第２の磁気吸引モジュールに電気的に接続されることによって信号送受信を行うことを特徴とする、請求項５に記載の車両用ホストシステム。
【請求項７】
前記操作パネルの前記裏面には螺着部が設けられており、
前記中継部材の前記第１端は、ネジ締結により前記操作パネルの前記螺着部に接続されることを特徴とする、請求項１に記載の車両用ホストシステム。
【請求項８】
前記ホストは、前記操作パネルの前記裏面にネジ締結されるように前記中継部材を回転駆動する駆動ユニットを有することを特徴とする、請求項７に記載の車両用ホストシステム。
【請求項９】
前記中継部材には中央固定部材と、前記中央固定部材の周辺に設けられるネジ締結回転部材とが設けられ、
前記中央固定部材には電気コネクタが設けられており、
前記操作パネルの前記螺着部に電気コネクタが設けられており、
前記ネジ締結回転部材が選択可能に前記螺着部にネジ締結され、
電力及び信号の接続を提供するように、前記中央固定部材の前記電気コネクタが前記螺着部の前記電気コネクタに接続されることを特徴とする、請求項８に記載の車両用ホストシステム。
【請求項１０】
前記中継部材は少なくとも一つの環状導電部を有し、
前記螺着部は、前記少なくとも一つの環状導電部に対応する少なくとも一つのコンタクト電極を有し、
前記中継部材が前記螺着部にネジ締結される場合、前記少なくとも一つのコンタクト電極は前記少なくとも一つの環状導電部に接触されることを特徴とする、請求項８に記載の車両用ホストシステム。
【請求項１１】
前記ホストは前記収容孔に設けられる電気コネクタを有し、
前記中継部材の前記第２端には電気コネクタが設けられており、
前記中継部材の前記第１端は前記操作パネルに電気的に接続され、
前記ホストの前記電気コネクタは前記中継部材の前記電気コネクタに電気的に連結されることを特徴とする、請求項１に記載の車両用ホストシステム。
【請求項１２】
前記ホストと前記中継部材との間に設けられており、固定部と、前記固定部に係止される脱出防止ユニットとを有する脱出防止仕組みをさらに備えることを特徴とする、請求項１に記載の車両用ホストシステム。
【請求項１３】
前記ホストには、前記固定部と前記脱出防止ユニットとを分離させるための脱出ボタンが設けられることを特徴とする、請求項１２に記載の車両用ホストシステム。
【請求項１４】
前記ホストの前端面と前記操作パネルの前記裏面には、脱出防止ユニットと、固定部とが設けられていることを特徴とする、請求項１に記載の車両用ホストシステム。
【請求項１５】
前記ホストには、前記ホストが前記中継部材を駆動して前記操作パネルに接続させるように前記操作パネルが前記ホストに近接するかどうかを検出するための検出器が設けられる、
ことを特徴とする、請求項１に記載の車両用ホストシステム。
【発明の詳細な説明】
【技術分野】
【０００１】
本発明は車両用ホストシステムに関し、特に自動車内部に用いられる、着脱可能な操作パネルを有するホストシステムに関する。
【背景技術】
【０００２】
通常、内部に車両用ホストが装着されている自動車がますます多くなってきている。車両用ホストにはタッチパネルが設けられることによって、より便利で直感的に車両用ホストを操作する機能を提供する。しかしながら、タッチパネルは、通常、自動車内部に固定され、車両用ホスト内部のソフトウェア及びそのデータベースを更新しにくい場合が多く、車両用ホストの機能と効果が制限されることが多い。車両用ホストの機能を向上しようとすると、車両用ホスト全体を入れ替えなければならないため、コストが非常に高価である。なお、タッチパネルは単独で用いられることもできない。
【発明の概要】
【発明が解決しようとする課題】
【０００３】
本発明は、タッチパネルが車両用ホストに固定されるため、車両用ホストの機能や効果が制限され、更新しにくいという課題を解決するように、着脱可能な操作パネルを提供する車両用ホストシステムを提供する。
【課題を解決するための手段】
【０００４】
本発明の一態様では、収容孔を有するホストと、操作面と前記操作面に対する裏面とを有する操作パネルと、前記操作パネルの前記裏面に接続される第１端と、着脱可能に前記ホストの前記収容孔に収容される第２端とを有する中継部材とを備える車両用ホストシステムを提供する。
【発明の効果】
【０００５】
本発明に係る車両用ホストシステムは、種々の形態の中継部材を提供することにより、操作パネルが着脱可能に自動車のホストに組合せられ、画像型の操作インタフェースを提供し、その内部システム及びソフトウェアを更新しやすく、且つ無線信号の接続（無線信号の送受信）等の機能を提供する。また、操作パネルはホストと分離され単独で用いられることができる。
【図面の簡単な説明】
【０００６】
【図１】本発明の車両用ホストシステムの第１の実施例の分解斜視図である。
【図２】本発明の車両用ホストシステムの第１の実施例の組立斜視図である。
【図２Ａ】本発明の車両用ホストシステムの第１の実施例の別の組立斜視図である。
【図３】本発明の車両用ホストシステムの第１の実施例の側面模式図である。
【図４】本発明の第１の実施例の中継部材により操作パネルが支持される模式図である。
【図５】本発明の車両用ホストシステムの第２の実施例の分解斜視図である。
【図６】本発明の車両用ホストシステムの第２の実施例の操作パネルの背面図である。
【図７】本発明の車両用ホストシステムの第３の実施例の分解斜視図である。
【図８】本発明の車両用ホストシステムの第３の実施例の操作パネルの背面図である。
【図９】本発明の車両用ホストシステムの第３の実施例における別の接続を有するインターフェースの概略斜視図である。
【発明を実施するための形態】
【０００７】
［第１の実施例］
図１乃至図３を参照する。図１乃至図３は、本発明の車両用ホストシステムの分解斜視図、組立斜視図、側面模式図をそれぞれ示す。本発明に係る車両用ホストシステムは、ホスト１０と、操作パネル２０と、中継部材３０とを備える。ホスト１０は車載装置とも言う。ホスト１０は、ラジオを放送したり、メモリ媒体（例えば、光ディスク又はメモリーカード等）における音楽データを放送したりすることができると共に、電力を操作パネル２０等に供給することもできる。本実施例のホスト１０は前端面１１を有する。前端面１１は、現在市販されている車両用ホストの操作パネルに合わせるように、ボタン１１２及びスクリーン１１４を備えるようにしてもよい。ホスト１０は前端面１１から内側に凹設される収容孔１２をさらに有する。なお、好ましくは、本実施例では、収容孔１２を可動的に覆う可動カバー１２１が設けられてもよい。可動カバー１２１は、回転軸にて接続されるカバー、又はブラシ状の暖簾、又は押鍵型のシャッタでもよく、美観及び防塵の機能を有する。
【０００８】
操作パネル２０は携帯可能な装置であり、例えば、タブレットコンピュータやスマートフォンであってもよい。また、操作パネル２０は、アプリケーション（ａｐｐｌｉｃａｔｉｏｎ）をインストールすることができる操作システムを有し、内部には外部接続コネクタと、無線アンテナと、衛星測位システムハードウェア（ＧＰＳ  ｈａｒｄｗａｒｅ）とが設けられている。操作パネル２０は、操作面２１と、操作面２１に対する裏面２２とを有する。
図１に示すように、本発明の特徴の一つとしては、中継部材３０により、操作パネル２０はホスト１０に取付けられ、又はホスト１０から取り外されることが可能である。本実施例の中継部材３０は、板状であってもよい。中継部材３０は、操作パネル２０の裏面２２に接続される第１端３１と、操作パネル２０が自動車のホスト１０に取付けられるように着脱可能にホスト１０の収容孔１２に収容される第２端３２とを有する。可動カバー１２１が回転軸にて接続されるカバーであれば、操作パネル２０がまだホスト１０に取付けられていない場合、可動カバー１２１は閉状態となり、操作パネル２０をホスト１０に取付けようとする場合、中継部材３０の第２端３２を収容孔１２に挿入することによって、中継部材３０は可動カバー１２１を押し開け、中継部材３０の第２端３２がホスト１０と接続される。操作パネル２０がホスト１０から分離される場合、可動カバー１２１が自動的に跳ね返って閉状態となる。
【０００９】
操作パネル２０はホスト１０に画像化の操作インタフェースを提供し、ホスト１０の機能を拡張することができる。ホスト１０自体の機能を操作するために、本実施例のホスト１０の前端面１１には、複数のボタン１１２と、スクリーン１１４とが設けられてもよい。図１のボタン１１２及びスクリーン１１４は概略的表示のみであり、本実施例のホスト１０の構造を制限するものではない。本実施例では、操作パネル２０が取付けられていない場合、依然としてボタン１１２及びスクリーン１１４を介してホスト１０を操作することができる。
【００１０】
図２に示すように、操作パネル２０は中継部材３０によりホスト１０に装着される場合、ホスト１０の複数のボタン１１２を遮蔽することができる。操作パネル２０がホスト１０から取り外される場合、ホスト１０は独立して操作でき、操作パネル２０も独立して操作できる。しかしながら、本発明はこれに限定されるものではない。例えば、操作パネルはホストを一部に遮蔽することができる。以下に例を挙げて説明する。
【００１１】
図２Ａに示すように、操作パネル２０ａはホスト１０の一部のみを遮蔽する。例えば、ユーザにボタン１１２を介してホスト１０を直接に操作させるように、操作パネル２０ａは、スクリーン１１４のみを遮蔽し、複数のボタン１１２を露出させるようにしてもよい。なお、本実施例では、操作パネル２０ａはホスト１０に密着しておらず、隙間が残留している。本実施例では、好ましくは、操作パネル２０ａとホスト１０との間の隙間を遮蔽するように、遮蔽部材１４をさらに設けるようにしてもよい。即ち、操作パネル２０ａはホスト１０に装着される場合、前端面１１を完全に遮蔽する可能性もあり、前端面１１を一部遮蔽する可能性もあり、前端面１１を全く遮蔽していない可能性もある。前端面１１を一部遮蔽し、又は全く遮蔽していない場合、前端面１１から露出したボタン１１２又はスクリーン１１４は既存の機能を保持してもよく、他の機能に転換してもよく、機能がなくなってもよい。なお、操作パネル２０ａはホスト１０に装着される場合、ホスト１０との間に隙間がある可能性もあり、隙間がない可能性もある。隙間がある場合、遮蔽部材１４で隙間を被覆してもよく、隙間を被覆しなくてもよい。これらの変数はすべて本システムの実際の設計により定められるものである。
【００１２】
本実施例では、中継部材３０の第１端３１は回転自在な手段（例えば、ヒンジ）、回転不可な手段（例えば、ネジ締め）、又は他の接続手段により操作パネル２０の裏面２２に接続されるようにしてもよい。操作パネル２０がホスト１０に取付けられることに合わせるように、中継部材３０が選択可能に操作パネル２０の裏面２２と取付角度θ１をなすようにしてもよい。例えば、図３に示すように、中継部材３０と操作パネル２０とがほぼ相互に垂直となる場合、取付角度θ１は約９０度である。
【００１３】
図４を参照する。図４は本発明の中継部材により操作パネルが支持される模式図である。操作パネル２０が自動車のホスト１０から取り外される場合、操作パネル２０がホスト１０と分離されて独立で使用される場合、操作パネル２０が平面に支持されるように、中継部材３０が選択可能に操作パネル２０の裏面２２と支持角度θ２をなしている。支持角度θ２は、鋭角、鈍角を問わず、第１端３１と裏面２２の接続方法及びユーザの需要により定められる。
【００１４】
図３を参照する。本実施例では、ホスト１０は、収容孔１２に設けられる電気コネクタ１２４を有する。中継部材３０の第２端３２には電気コネクタ３２４が設けられる。中継部材３０の第１端３１が操作パネル２０に電気的に接続される。中継部材３０の電気コネクタ３２４がホスト１０の電気コネクタ１２４に電気的に連結される。電気コネクタ１２４には電源供給端子と、信号端子とが設けられる。電気コネクタ１２４は、ホスト１０の電力及び信号を電気コネクタ３２４を介して操作パネル２０に伝送するために用いられるものである。
【００１５】
また、中継部材３０の第１端３１が着脱可能に操作パネル２０に接続されるように設計されてもよい。即ち、操作パネル２０は中継部材３０と分離されてもよい。なお、電気コネクタ３２４は、例えばケーブル、電気コネクタ、又はタッチなどの手段により中継部材３０の第１端３１を介して操作パネル２０に電気的に接続されることができる。
【００１６】
本実施例では、電気コネクタ３２４が電気コネクタ１２４に挿着されることによる締り嵌め力を利用し、中継部材３０が操作パネル２０とともにホスト１０に固定されることができる。しかしながら、本発明はこれに限定されるものではない。
【００１７】
図３を参照する。本実施例では、より強い固定力を提供するために、ホスト１０は収容孔１２に設けられる固定部１２３を有してもよい。中継部材３０は、脱出防止ユニット３３を有し、脱出防止ユニット３３により収容孔１２に係合され、脱出防止ユニット３３が固定部１２３に係止される。脱出防止ユニット３３は内側に窪んだ係止溝であってもよく、固定部１２３は伸縮可能な係止爪でもよい。脱出防止ユニット３３と固定部１２３は、操作パネル２０がホスト１０に固定される力を強化し、脱出防止仕組みを形成して意図せずに脱出することを防止する効果が達成されるためのものである。この目的を達成すれば、脱出防止ユニット３３と固定部１２３の位置は実状に応じて調整することができる。例えば、脱出防止ユニット３３と固定部１２３とがホスト１０の前端面１１及び操作パネル２０の裏面２２に設けられてもよい。
【００１８】
また、固定部１２３の退避を促進し、脱出防止ユニット３３と固定部１２３とを分離させるように、ホスト１０には脱出ボタン１２５が設けられるようにしてもよい。例えば、脱出ボタン１２５を押した後、固定部１２３が退避して収容孔１２から離れ、係止溝状の脱出防止ユニット３３を係止しなくなり、操作パネル２０がホスト１０と分離され、ユーザがさらに力を入れて操作パネル２０を取り外す。本願はこの補強方法に制限されるものではない。例えば、脱出防止ユニットと固定部の設計とは交換してもよく、脱出防止の効果を達成すればよい。脱出防止ユニットは、前端面１１における固定部に合わせるように、中継部材３０の上又は左側辺又は右側辺に取付けられてもよく、操作パネル２０の裏面２２に取付けられてもよい。なお、脱出ボタン１２５は必ずしもエンティティボタンである必要はなく、別のタイプのエンティティスイッチ、例えば、首振りスイッチ、シーソースイッチ、プッシュ式スイッチ（ｓｌｉｄｅ  ｓｗｉｔｃｈｅｓ）等でもよく、操作パネル２０におけるタッチボタン（例えば、トップページ→セット→操作パネルからログアウト）でもよい。操作パネル２０とホスト１０とのやり取りを介して、脱出防止ユニット３３を押し込んで操作パネル２０がホスト１０と分離できるようにしてもよい。しかしながら、操作パネル２０とホスト１０とを分離させる方法もこれに制限されるものではない。例えば、ｐｕｓｈ−ｐｕｓｈ  ｍｅｃｈａｎｉｓｍ（二段式押付）型の脱出構造を用いることができる。即ち、一回目に操作パネル２０を押し進めた後、中継部材３０がホスト１０に係止されることができ、二回目に操作パネル２０を押し進めた後、中継部材３０がホスト１０から脱出することができる。或いは、脱出ボタン１２５を押した後、操作パネル２０が自動的にホスト１０と分離し、操作パネル２０がユーザの方向へ一部脱出し、ユーザがさらに力を入れて操作パネル２０を取り外す。
【００１９】
また、脱出防止仕組みが存在しない場合、ホスト１０は依然として脱出ボタン１２５を設けるようにしてもよい。操作パネル２０とホスト１０とが結合された後、操作パネル２０がユーザの方向へ一部脱出するように、ユーザが脱出ボタン１２５を押すことができ、さらに力を入れて操作パネル２０を取り外す。
【００２０】
また、脱出防止仕組みが存在しない場合、ホスト１０は脱出ボタン１２５を設けなくてもよく。このような場合、操作パネル２０とホスト１０とが結合された後、ユーザが力を入れてそのまま操作パネル２０を取り外すことができる。
【００２１】
また、中継部材３０の形状と収容孔１２の形状は図面に示す形状に制限されるものではない。
【００２２】
また、前端面１１の上にボタン１１２又はスクリーン１１４を省略しても、又は両方とも省略してもよい。両方とも省略されると、ユーザが操作パネル２０を取付けないとホストの機能が用いられない。
［第２の実施例］
【００２３】
図５及び図６を参照する。図５及び図６は本発明の車両用ホストシステムの第２の実施例の分解斜視図、及び操作パネルの背面図をそれぞれ示す。本実施例と上記実施例との主な相違点は、本実施例は磁気吸着の原理を用いるものである。また、中継部材３０の第１端が磁性により操作パネル２０の裏面２２に吸着し、第２端がホスト１０に収容される。中継部材３０は、一対の第１の磁気吸引部３５１、３５２を有する第１の磁気吸引モジュール３５を有する。操作パネル２０の裏面２２には、一対の第２の磁気吸引部２４１、２４２を有する第２の磁気吸引モジュール２４が設けられている。第１の磁気吸引部３５１、３５２は異なる磁性を有し、磁力のみを提供してもよく、若しくは同時に電気的接続と信号送受信の機能を提供してもよい。第２の磁気吸引部２４１、２４２は異なる磁性を有し、磁力のみを提供してもよく、若しくは同時に電気的接続と信号送受信の機能を提供してもよい。
【００２４】
操作パネル２０がホスト１０に取付けられない場合、以下にいくつかの可能な状況がある。第一、中継部材３０のホームポジションでユーザが操作パネル２０をホスト１０に接続することができない。このような場合、ユーザは、操作パネル２０を中継部材３０に載せるように、中継部材３０を押し込んで、又はホスト１０におけるボタン又はスイッチにより、中継部材３０を突出させなければならない。第二、中継部材３０のホームポジションでユーザが操作パネル２０をホスト１０に接続することができる。このような場合、ユーザがそのまま操作パネル２０を中継部材３０に載せる。第三、本実施例では、ホスト１０の前端面１１に検出器１１０を設けてもよい。操作パネル２０が検出されると、中継部材３０が取付可能な位置まで起動され、ユーザが操作パネル２０を中継部材３０に載せるようにする。検出器１１０の位置は他の箇所、例えば、中継部材３０に設けられてもよい。
【００２５】
本実施例の操作パネル２０がホスト１０に接続される方法については、以下に例を挙げて説明する。単純な磁石の場合、操作パネル２０は中継部材３０に載せられた後、第１の磁気吸引モジュール３５と第２の磁気吸引モジュール２４自体の磁力により吸着されホスト１０に固定される。電磁石の場合、ホスト１０が検出器１１０を有すると共に操作パネル２０が検出器１１０に近接すると、操作パネル２０が検出器１１０により検出され、電磁石が自動的に通電し、ユーザが操作パネル２０を中継部材３０に接続することができる。また、電磁石の場合、ホスト１０は検出器１１０を有しないと、ユーザが手動で電磁石を通電させ、操作パネル２０を中継部材３０に接続することができる。
【００２６】
本実施例の操作パネル２０がホスト１０と分離される方法については、以下に例を挙げて説明する。上記磁気吸引方法は一般磁石でも、電磁石でもよい。一般磁石の場合、分離の方法は操作パネル２０に力を入れて取り外すことにより中継部材３０と離間されてもよい。電磁石の場合、電力オフにより、操作パネル２０を中継部材３０から分離させることができる。電力オフの方法が多く、例えば、操作パネル２０におけるプログラムメニュー、又はホスト１０におけるボタン又はスイッチを介して操作する。
【００２７】
また、第１の磁気吸引モジュール３５と第２の磁気吸引モジュール２４は単に磁気吸引機能のみを有する場合、第２の磁気吸引モジュール２４には別途に電気コネクタ２４３を設けてもよく、第１の磁気吸引モジュール３５にも電気コネクタ３５３が設けられ、第２の磁気吸引モジュール２４の電気コネクタ２４３が第１の磁気吸引モジュール３５の電気コネクタ３５３に電気的に接続され、電気的に接続と信号送受信の機能を提供するようにする。第１の磁気吸引モジュール３５と第２の磁気吸引モジュール２４自体は磁気吸引機能を有するとともに、電気的に接続と信号送受信の機能を提供する場合、電気コネクタ２４３と電気コネクタ３５３を省略してもよく、例えば、Ｍａｇｃｏｎｎ（登録商標）磁気吸引式無線電気的接続でもよい。
【００２８】
また、本実施例では、第１の実施例の脱出防止ユニットが配置されていてもよい。脱出防止ユニットは中継部材３０又は第２の磁気吸引モジュール２４に設けられてもよく、ホスト１０の前端面１１若しくは操作パネル２０の裏面２２に設けられてもよい。その構造と作用方法は第１の実施例と同様であり、重複する説明は省略する。脱出防止ユニットが設けられる場合、操作パネル２０を中継部材３０から分離させる過程において、まず脱出防止ユニットの構造における固定力を除去する必要があり、例えば、脱出ボタン１２５を介して行い、その後磁力の操作パネル２０に対する影響を除去する。また、一般磁石の場合、分離の方法としては、力を入れることにより操作パネル２０を取り外してもよい。また、電磁石の場合、電力オフにより操作パネル２０を中継部材３０から分離させてもよい。簡単な方法としては、脱出ボタン１２５で脱出防止ユニットの構造における固定力を除去するとともに、電磁石における電力をオフにすることができる。脱出ボタン１２５の実施方法及び種類は第１の実施例と同様である。
【００２９】
また、中継部材３０の形状と収容孔１２の形状は図面に示す矩形に制限されるものではない。磁気吸引部の数量、位置、及び形状も図示に制限されるものではない。他のホスト１０に関する構造は第１の実施例と同様でもよく、重複する説明は省略する。
【００３０】
操作パネル２０が中継部材３０から取り外された場合、ホスト１０は検出器１１０を有しないと、ユーザが中継部材３０を押し込むことにより、又はホスト１０におけるボタン又はスイッチにより、中継部材３０がホスト１０内のホームポジションに戻ることができる。ホスト１０は検出器１１０を有すると、検出器１１０は操作パネル２０を検出できない場合、中継部材３０がホームポジションまで退避するように、信号をホスト１０に提供することできる。
［第３の実施例］
【００３１】
図７及び図８を参照する。図７及び図８は、本発明の車両用ホストシステムの第３の実施例の分解斜視図、及び操作パネルの背面図をそれぞれ示す。上記実施例との相違点は、本実施例は螺着の原理を用いるものである。操作パネル２０の裏面２２に螺着部２６が設けられており、中継部材３０ａの第１端３１がネジ締結により操作パネル２０の螺着部２６に接続される。中継部材３０ａには中央固定部材３４と、当該中央固定部材３４の周辺に設けられるネジ締結回転部材３６とが設けられる。中央固定部材３４には電気コネクタ３４０が設けられており、操作パネル２０の螺着部２６にも電気コネクタ２６４が設けられている。
【００３２】
図８を参照する。ホスト１０は、中継部材３０ａのネジ締結回転部材３６が回転駆動され操作パネル２０の裏面２２にネジ締結される駆動ユニット（図示略）を有する。ネジ締結回転部材３６が回転する場合、中央固定部材３４が動かない。駆動ユニットは、モータ等でもよい。ネジ締結終了後、電気コネクタ３４０が電気コネクタ２６４に接続され、電力及び信号の接続を提供する。
【００３３】
また、本願の収容孔１２の形状は原則的に中継部材３０ａに合わせる形状である。ホスト１０において、スクリューのようなものを設けて中継部材３０ａを動かして収容孔１２に進出させてもよい。本実施例では、ホスト１０の前端面１１に検出器１１０を設けてもよく、操作パネル２０が検出されると、中継部材３０ａのネジ締結回転部材３６が回転し操作パネル２０の螺着部２６にネジ締結されるように起動される。他の実施例と同じように、押圧後、ネジ締結回転部材３６が操作パネル２０の螺着部２６から脱出するように、ホスト１０には脱出ボタン１２５が設けられてもよく、脱出防止仕組みが存在すると仮定すると、脱出ボタン１２５も脱出防止仕組みを失効させる。これにより、操作パネル２０と中継部材３０ａとが離間される。なお、操作パネル２０にこの分離仕組み、例えば、トップページ→セット→操作パネルからログアウトを設けてもよい。脱出ボタン１２５の実施方法及び種類は第１の実施例と同様である。
【００３４】
なお、ユーザが操作パネル２０をホスト１０に取付けようとする場合、以下にいくつかの可能な状況がある。第一、中継部材３０ａのホームポジションでユーザが操作パネル２０をホスト１０に接続することができる。このような場合、ユーザがそのまま操作パネル２０を中継部材３０ａに載せる。第二、中継部材３０ａのホームポジションでユーザが操作パネル２０をホスト１０に接続することができない。このような場合、ユーザは、操作パネル２０を中継部材３０ａに載せるように、中継部材３０ａを押し込んで、又はホスト１０におけるボタン又はスイッチを介して、中継部材３０ａを突出させる。第三、ホスト１０に検出器１１０が設けられており、操作パネル２０が検出器１１０に近接する場合、検出器１１０により検出されると、中継部材３０ａが取付可能な位置まで起動され、ユーザが操作パネル２０を中継部材３０ａに載せるようにする。
【００３５】
なお、ホスト１０は検出器１１０を有しないと、ユーザが操作パネル２０の螺着部２６と中継部材３０ａのネジ締結回転部材３６とをアライメントする場合、あるボタン又はスイッチを介して回転ネジ締結回転部材３６を起動し、螺着部２６に接続し、固定後自動的に回転ネジ締結回転部材３６を停止する。ホスト１０は検出器１１０を有すると、ユーザが操作パネル２０の螺着部２６と中継部材３０ａのネジ締結回転部材３６とをアライメントする場合、検出器１１０により操作パネル２０が検出され、自動的に回転ネジ締結回転部材３６を通電させ、螺着部２６に接続し、固定後自動的に回転ネジ締結回転部材３６を停止する。
【００３６】
操作パネル２０が中継部材３０ａから取り外された場合、ホスト１０は検出器１１０を有しないと、ユーザが中継部材３０ａを押し込むことにより、又はホスト１０におけるボタン又はスイッチにより、中継部材３０ａがホスト１０内のホームポジションに戻る。ホスト１０は検出器１１０を有すると、検出器１１０が操作パネル２０を検出できない場合、中継部材３０ａがホームポジションまで退避するように、ホスト１０に信号を提供できる。検出器１１０の位置は他の箇所、例えば、中継部材３０ａに設けられてもよい。
［第４の実施例］
【００３７】
図９を参照する。本実施例と第３の実施例との主な相違点は、中継部材３０ｂと螺着部２６にある。中継部材３０ｂと螺着部２６は、別の接続手段を有する。中継部材３０ｂの前端面には二つの同心円状に配列される円環状の環状導電部３６１、３６２を有し、その円周は導電部である。螺着部２６が固定的に操作パネル２０の裏面２２に設けられる。螺着部２６は二つのコンタクト電極２６１、２６２を有し、その位置は環状導電部３６１、３６２の円周に対応する。環状導電部とコンタクト電極の数量は二つに制限されず、一つか二つ以上でもよい。中継部材３０ｂが回転駆動される場合、環状導電部３６１、３６２もそれに従い回転し、中継部材３０ｂは操作パネル２０の螺着部２６に接続されることができる。接続終了後、コンタクト電極２６１、２６２が環状導電部３６１、３６２の円周に接触し、電力及び信号の接続を提供する。環状導電部３６１、３６２は円形であるので、中継部材３０ｂの回転角度に関わらず、環状導電部３６１、３６２の円周が必ずコンタクト電極２６１、２６２と接触できる。別の電力及び信号の接続を提供する方法としては、中継部材３０ｂの第１端３１の上に一部の面積は導電部であり、螺着部２６の内側にも一部の面積はコンタクト電極であり、中継部材３０ｂと螺着部２６との接続が終わった後、導電部とコンタクト電極とが接触でき、電力及び信号の接続を提供する。
【００３８】
他の操作パネル２０とホスト１０との接続及び分離の方法、並びに中継部材３０ｂがホスト１０内のホームポジションに戻る方法については、第３の実施例を参照する。
【００３９】
以上より、本発明の効果は、本発明に係る車両用ホストシステムは、種々の形態の中継部材を提供することにより、操作パネル２０が着脱可能に自動車のホスト１０に組合せられ、画像式の操作インタフェースを提供し、その内部システム及びソフトウェアを更新しやすい等の機能である。また、操作パネル２０がホスト１０と分離され単独で用いられてもよい。
【００４０】
例を挙げると、現在の操作パネル２０のスクリーンが７インチしかないと仮定すると、未来より大きな操作パネルがあれば、本発明は容易に操作パネルを入れ替えることができる。また、機能のより強い操作パネル２０が登場した後、ユーザは操作パネルを入れ替えることもできる。
【００４１】
以上に述べられたのは、本発明の好ましい実施可能な実施例に過ぎず、これにより本発明の特許請求の範囲を限定するものではないので、本発明の明細書及び図面の内容により為された等価な技術変形は、すべて本発明の保護範囲に含まれる。
【符号の説明】
【００４２】
１０    ホスト
１１    前端面
１１０    検出器
１１２    ボタン
１１４    スクリーン
１２    収容孔
１２１    可動カバー
１２３    固定部
１２４    電気コネクタ
１２５    脱出ボタン
１４    遮蔽部材
２０、２０ａ    操作パネル
２１    操作面
２２    裏面
２４    第２の磁気吸引モジュール
２４１、２４２    第２の磁気吸引部
２４３    電気コネクタ
２６    螺着部
２６１、２６２    接触電極
２６４    電気コネクタ
３０、３０ａ、３０ｂ    中継部材
３１    第１端
３２    第２端
３２４    電気コネクタ
３３    脱出防止ユニット
３４    中央固定部材
３４０    電気コネクタ
３５    第１の磁気吸引モジュール
３５１、３５２    第１の磁気吸引部
３５３    電気コネクタ
３６    ネジ締結回転部材
３６１、３６２    環状導電部
θ１    取付角度
θ２    支持角度
【図１】
2018012420.tif 000003
【図２】
2018012420.tif 000004
【図２Ａ】
2018012420.tif 000005
【図３】
2018012420.tif 000006
【図４】
2018012420.tif 000007
【図５】
2018012420.tif 000008
【図６】
2018012420.tif 000009
【図７】
2018012420.tif 000010
【図８】
2018012420.tif 000011
【図９】
2018012420.tif 000012